(57)【要約】【課題】従来構成に比べて高いストレッチ効果が得られるストレッチ用マットを提供する。【解決手段】  前後方向に沿って山状に湾曲隆起するストレッチ部３にエアーバッグ６を設け、エアーバッグ６がしぼんだ弱湾曲状態と、エアーバッグ６が膨らんで弱湾曲状態よりも湾曲が強くなる強湾曲状態とに変換可能とする。そして、ストレッチ部３に体の一部が載った状態で、エアーバッグ６に空気を供給して時間をかけてストレッチ部３を弱湾曲状態から強湾曲状態に変換し、その後、空気の供給を停止して、ストレッチ部３の強湾曲状態が維持されるようにする。【選択図】図６
2015073875.tif 000002
【特許請求の範囲】
【請求項１】
筐体の上部に、前後方向に沿って山状に湾曲隆起する、体の一部を載せて体を伸ばすためのストレッチ部を配設してなるストレッチ用マットであって、
前記ストレッチ部は、筐体上に載置されたエアーバッグを備え、エアーバッグがしぼんだ弱湾曲状態と、エアーバッグが膨らんで弱湾曲状態よりも湾曲が強くなる強湾曲状態とに変換可能となっており、
前記筐体の内部には、エアーバッグに空気を供給する給気手段と、エアーバッグから空気を排出する排気手段と、給気手段と排気手段の作動を制御するエアー制御手段とが配設されており、
エアー制御手段は、弱湾曲状態のストレッチ部に対して、給気手段によってエアーバッグに空気を供給し、時間をかけてストレッチ部を弱湾曲状態から強湾曲状態に変換し、その後、給気手段による空気の供給を停止して、ストレッチ部の強湾曲状態を維持するストレッチ制御処理を実行することを特徴とするストレッチ用マット。
【請求項２】
エアー制御手段は、前記ストレッチ制御処理では、ストレッチ部の強湾曲状態を所定時間維持した後に、排気手段によってエアーバッグの空気を排出して、ストレッチ部を強湾曲状態から弱湾曲状態に変換することを特徴とする請求項１に記載のストレッチ用マット。
【請求項３】
筐体の側面に配設されて、エアー制御手段に前記ストレッチ制御処理を開始させるための操作スイッチを備え、
エアー制御手段は、操作スイッチによってストレッチ制御処理を開始させるための操作が為された後に、一定時間が経過してからストレッチ制御処理を開始することを特徴とする請求項１又は請求項２に記載のストレッチ用マット。
【請求項４】
エアー制御手段は、前記ストレッチ制御処理では、給気手段がエアーバッグに供給する空気の量を制御することで、ストレッチ部の湾曲度合いの異なる複数の強湾曲状態に制御し得るよう構成されていることを特徴とする請求項１乃至請求項３のいずれか１項に記載のストレッチ用マット。
【請求項５】
筐体の上面には、ストレッチ部の前方と後方の少なくとも一方に、ストレッチ部に載せる部分とは別に、体の一部を載せて体の位置を保持するための保持部が設けられており、
筐体内部には、筐体を振動させる振動手段と、該振動手段の作動を制御する振動制御手段とが配設されており、
振動制御手段は、前記ストレッチ制御処理中に、振動手段を作動させるものであることを特徴とする請求項１乃至請求項４のいずれか１項に記載のストレッチ用マット。
【発明の詳細な説明】
【技術分野】
【０００１】
本発明は、体の一部を載せることによりストレッチ効果を得ることができるストレッチ用マットに関する。
【背景技術】
【０００２】
筐体の上部に、前後方向に沿って山状に湾曲隆起するストレッチ部が設けられたストレッチ用マットが知られている（例えば、特許文献１）。かかるストレッチ用マットは、ストレッチ部に背中や腰、首などを載せるようにして仰向けに寝ることにより、ストレッチ部に載せた部分の筋肉を伸長させて、ストレッチ効果を得ることができるものである。また、特許文献１のストレッチ用マットは、筐体の内部に振動手段を備え、体を載せた状態でストレッチ部を振動させることにより、ストレッチ効果を高め得るよう構成されている。
【先行技術文献】
【特許文献】
【０００３】
【特許文献１】特開２０１２−１６３９６号公報
【発明の概要】
【発明が解決しようとする課題】
【０００４】
ところで、ストレッチ運動では、筋肉を緩めた状態で、伸長させたい部位をゆっくりと伸ばしていき、その後、当該部位を伸長させた姿勢を一定時間保持するのが理想的とされている。しかしながら、上記従来のストレッチ用マットは、ストレッチ部に体を載せることで、載せた部位を伸長した姿勢を保持することが可能であるが、湾曲したストレッチ部に仰向けに寝る動作は力を抜いてゆっくりと行うのが難しく、ストレッチ部に載せる部位を、筋肉を緩めた状態でゆっくりと伸長させるのは困難である。すなわち、従来のストレッチ用マットでは、ストレッチ運動の理想的な動作が実現できておらず、ストレッチ効果を向上させる余地が残っている。
【０００５】
本発明は、かかる現状に鑑みてなされたものであり、従来構成に比べて高いストレッチ効果が得られるストレッチ用マットの提供を目的とする。
【課題を解決するための手段】
【０００６】
本発明は、筐体の上部に、前後方向に沿って山状に湾曲隆起する、体の一部を載せて体を伸ばすためのストレッチ部を配設してなるストレッチ用マットであって、前記ストレッチ部は、筐体上に載置されたエアーバッグを備え、エアーバッグがしぼんだ弱湾曲状態と、エアーバッグが膨らんで弱湾曲状態よりも湾曲が強くなる強湾曲状態とに変換可能となっており、前記筐体の内部には、エアーバッグに空気を供給する給気手段と、エアーバッグから空気を排出する排気手段と、給気手段と排気手段の作動を制御するエアー制御手段とが配設されており、エアー制御手段は、弱湾曲状態のストレッチ部に対して、給気手段によってエアーバッグに空気を供給し、時間をかけてストレッチ部を弱湾曲状態から強湾曲状態に変換し、その後、給気手段による空気の供給を停止して、ストレッチ部の強湾曲状態を維持するストレッチ制御処理を実行することを特徴とするストレッチ用マットである。ここで、ストレッチ制御処理において、ストレッチ部を弱湾曲状態から強湾曲状態に変換するための時間は５秒以上かけることが望ましい。
【０００７】
かかる構成にあっては、弱湾曲状態ではストレッチ部の湾曲が弱いため、使用者は、体を強く伸長させることなく体をストレッチ部に載せることができる。この時、使用者は、ストレッチ部の弱い湾曲を利用して、体の伸長させたい部位をストレッチ部の上に正確に位置合わせすることができる。そして、本発明にあっては、弱湾曲状態のストレッチ部に体が載った状態でストレッチ制御処理を実行すると、時間をかけてストレッチ部が強湾曲状態に変換して、ストレッチ部の湾曲が徐々に強くなっていくことで、使用者の体はゆっくりと伸長することとなる。また、この時、使用者はストレッチ部に体を載せているだけでよいため、筋肉を十分に緩めた状態でしっかりと伸長させることができる。そして、ストレッチ部は、強湾曲状態に変換された後、強湾曲状態を維持するため、ストレッチ部によって伸長された部位は、伸長状態で保持される。このように、本発明のストレッチ用マットによれば、ストレッチ部に体を載せてストレッチ制御処理を実行することで、体をゆっくりと伸長させた後に、伸長状態で停止させるといった、ストレッチ運動に必要な動作を実現できるから、従来構成に比べて高いストレッチ効果を得ることができる。
【０００８】
本発明にあって、エアー制御手段は、前記ストレッチ制御処理では、ストレッチ部の強湾曲状態を所定時間維持した後に、排気手段によってエアーバッグの空気を排出して、ストレッチ部を強湾曲状態から弱湾曲状態に変換することが提案される。
【０００９】
かかる構成にあっては、ストレッチ制御処理が実行されると、ストレッチ部は、所定時間、強湾曲状態となってから、弱湾曲状態に復帰するため、使用者は、強湾曲状態で伸長させた部位を、ある程度緩めた後でストレッチ部から下ろすことが可能となり、体を強く伸長させた動きにくい状態で、体をストレッチ部から下ろさなくて済む。
【００１０】
また、本発明にあって、筐体の側面に配設されて、エアー制御手段に前記ストレッチ制御処理を開始させるための操作スイッチを備え、エアー制御手段は、操作スイッチによってストレッチ制御処理を開始させるための操作が為された後に、一定時間が経過してからストレッチ制御処理を開始することが提案される。
【００１１】
かかる構成によれば、操作スイッチを操作した後も、ストレッチ部が一定時間、弱湾曲状態に維持されるため、使用者は、当該一定時間の間にストレッチ部に体を載せるようにすれば、ストレッチ部に体を載せた姿勢で無理に操作スイッチを操作しなくてもよくなる。なお、かかる「一定時間」は、５〜６０秒の範囲で設定することが望ましい。５秒より短いと、ストレッチ部に急いで体を載せなくてはならず、６０秒より長いとストレッチ制御処理開始までの待ち時間が不必要に長くなるためである。
【００１２】
また、本発明にあって、エアー制御手段は、前記ストレッチ制御処理では、給気手段がエアーバッグに供給する空気の量を制御することで、ストレッチ部の湾曲度合いの異なる複数の強湾曲状態に制御し得るよう構成されていることが提案される。
【００１３】
かかる構成にあっては、強湾曲状態のストレッチ部の湾曲度合いを複数段階に調整可能となるため、使用者の体の硬さに合わせた、適度なストレッチ強度を実現可能となる。
【００１４】
また、本発明にあって、筐体の上面には、ストレッチ部の前方と後方の少なくとも一方に、ストレッチ部に載せる部分とは別に、体の一部を載せて体の位置を保持するための保持部が設けられており、筐体内部には、筐体を振動させる振動手段と、該振動手段の作動を制御する振動制御手段とが配設されており、振動制御手段は、前記ストレッチ制御処理中に、振動手段を作動させるものであることが提案される。
【００１５】
かかる構成にあっては、ストレッチ制御処理中に、保持部を介して筐体の振動を使用者の体に振動を伝えることで、ストレッチ効果を一層向上させることができる。
【発明の効果】
【００１６】
以上に述べたように、本発明のストレッチ用マットによれば、ストレッチ運動の理想的な動作が可能となるから、従来構成に比べて、高いストレッチ効果を得ることができる。
【図面の簡単な説明】
【００１７】
【図１】本実施例のストレッチ用マット１の概略図である。
【図２】エアーバッグ６等を分離して示すストレッチ用マット１の斜視図である。
【図３】ストレッチ用マット１の平面図である。
【図４】ストレッチ用マット１の側面図であり、（ａ）はストレッチ部３の弱湾曲状態を示し、（ｂ）はストレッチ部３の強湾曲状態を示す。
【図５】ストレッチ用マット１の正面図であり、（ａ）はストレッチ部３の弱湾曲状態を示し、（ｂ）はストレッチ部３の強湾曲状態を示す。
【図６】図３中のＰ−Ｐ線断面図であり、（ａ）はストレッチ部３の弱湾曲状態を示し、（ｂ）はストレッチ部３の強湾曲状態を示す。
【図７】図３中のＬ−Ｌ線断面図であり、（ａ）はストレッチ部３の弱湾曲状態を示し、（ｂ）はストレッチ部３の強湾曲状態を示す。
【発明を実施するための形態】
【００１８】
本発明の実施例を、添付図面を用いて詳述する。
本実施例のストレッチ用マット１は、図１〜３に示すように、筐体２の上部に、前後方向に沿って山状に湾曲隆起するストレッチ部３を備えている。なお、本実施例のストレッチ用マット１は、図３中での上下方向が前後方向であり、左右方向が幅方向である。このストレッチ用マット１は、通常は、体の中心線がストレッチ用マット１の前後方向と一致するように、体を仰向けに載せて使用するものである。
【００１９】
ストレッチ用マット１は、専用の電源コード３０を介して外部電源３１と接続される。外部電源３１の電力は、後述するエアーポンプ１７や振動用モータ１８、制御基板１９などに供給される。また、ストレッチ用マット１の側面には、電源のＯＮ・ＯＦＦや作動モードの切替えに使用される操作スイッチ５が配設される。
【００２０】
筐体２の上部は、前後方向に沿って山状に湾曲隆起するストレッチ部３と、ストレッチ部３の手前側と奥側とに配設される保持部４ａ，４ｂとを備えてなる。保持部４ａ，４ｂは、使用時に、ストレッチ部３で伸長させる部分以外を載せて、体の位置を保持するための部分である。例えば、背中のストレッチを行う場合は、ストレッチ部３に背中を載せるとともに、保持部４ａに腰を載せて体の位置を保持するようにする。また、首のストレッチを行う場合は、ストレッチ部３に首を載せるとともに、保持部４ａ，４ｂに頭と肩を載せて体の位置を保持する。
【００２１】
図１，２に示すように、筐体２の上部には、ストレッチ部３を形成する部分に、二つのエアーバッグ６，６が配設される。具体的には、筐体２上部のストレッチ部３を形成する部分は、周囲よりもわずかに低くなった凹部１３が形成されており、該凹部１３の底部に二つのエアーバッグ６が左右対称位置に載置される。
【００２２】
図２に示すように、エアーバッグ６は、二枚の樹脂シートの周囲を接合してなる中空袋であり、その端部に空気の給気・排気を行うための通気口１４が開口している。エアーバッグ６の通気口１４は、筐体２の凹部１３の縁に形成されたスリット１５から筐体２の内部空隙９に挿入される。
【００２３】
図２に示すように、エアーバッグ６の上には、エアーバッグ６を覆うようにカバーシート７が配設される。カバーシート７は、伸縮自在で可撓性のあるシートであり、エアーバッグ６の膨らみに合わせて伸縮するものである。エアーバッグ６とカバーシート７の上には、押さえ板８が配設される。押さえ板８は、エアーバッグ６の外周部を上から押さえるよう配置されて、ネジ（図示省略）によって筐体２に固定されることで、エアーバッグ６とカバーシート７を筐体２の上面に固定する。
【００２４】
かかる構成にあっては、図４（ａ），５（ａ），６（ａ），７（ａ）に示すように、通気口１４から空気が抜けてエアーバッグ６がしぼんで扁平となった状態では、ストレッチ部３は筐体２の上面に倣った湾曲形状の弱湾曲状態となる。一方、図４（ｂ），５（ｂ），６（ｂ），７（ｂ）に示すように、通気口１４から空気が流入してエアーバッグ６が厚み方向に膨らんだ状態では、ストレッチ部３は、上方に膨隆して、筐体２の上面の湾曲形状よりも湾曲の強い強湾曲状態となる。
【００２５】
図６，７に示すように、筐体２は、上面及び両側面を形成する上部カバー２ａと、底部を構成するベース体２ｂとを複数のネジ（図示省略）で一体的に接合してなるものであり、上部カバー２ａとベース体２ｂとの間に内部空隙９が形成される。上部カバー２ａとベース体２ｂは、いずれも硬質プラスチックにより構成されるものである。
【００２６】
図６，７に示すように、筐体２の内部空隙９には、エアーバッグ６に空気を供給するエアーポンプ１７と、筐体２を振動させる振動用モータ１８と、エアーポンプ１７や振動用モータ１８の作動を制御する制御基板１９と、エアーポンプ１７とエアーバッグ６とに接続されるエアチューブ２０と、制御基板１９やエアーポンプ１７、振動用モータ１８などを相互接続するリード線（図示省略）とが配設される。
【００２７】
エアーポンプ１７は、給排気可能な汎用のエアーポンプで構成されるものであって、本発明に係る給気手段及び排気手段を構成するものである。具体的には、エアーポンプ１７は、給排気が可能な給排気口２２を備えている。この給排気口２２は、エアチューブ２０を介して、二つのエアーバッグ６，６の通気口１４と連通している。エアーポンプ１７は、制御基板１９によって、給排気口２２からエアーバッグ６に空気を送出する給気状態と、エアーバッグ６の空気を給排気口２２から排出する排気状態と、給排気口２２を閉塞してエアーバッグ６を密封する閉塞状態とに変換制御される。
【００２８】
すなわち、エアーバッグ６がしぼんだ状態で、エアーポンプ１７を給気状態にすれば、エアーバッグ６を膨らませて、ストレッチ部３を強湾曲状態に変換できる。また、エアーポンプ１７を閉塞状態とすれば、エアーバッグ６が密閉されることとなり、ストレッチ部３の弱湾曲状態や強湾曲状態を維持できる。そして、エアーバッグ６が膨らんだ状態でエアーポンプ１７を排気状態とすれば、エアーバッグ６をしぼませて、ストレッチ部３を弱湾曲状態に変換できる。
【００２９】
振動用モータ１８は、その駆動軸２３に偏心錘２４が固定された汎用モータであり、制御基板１９によって駆動制御される。振動用モータ１８は、ベース体２ｂに一体的に固着され、駆動時に偏心錘２４が回転して振動用モータ１８が振動することで、筐体２全体が振動するよう構成されている。すなわち、振動用モータ１８は、本発明の振動手段を構成するものである。
【００３０】
制御基板１９は、筐体２の内部にあって、操作スイッチ５の裏側に配設されており、操作スイッチ５の操作に基づいて、エアーポンプ１７及び振動用モータ１８の作動制御を行うものである。すなわち、制御基板１９は、本発明のエアー制御手段および振動制御手段を構成するものである。後述するように、制御基板１９は、エアーポンプ１７を制御することにより、ストレッチ部１１を弱湾曲状態から強湾曲状態に変換し、強湾曲状態を維持した後に弱湾曲状態に復帰させるストレッチ制御処理を実行する。
【００３１】
操作スイッチ５は、裏側の制御基板１９に接続された押しボタン型のスイッチであり、押圧回数や押圧時間によって、使用者が、電源のＯＮ／ＯＦＦや作動モードの選択を行うためのものである。また、操作スイッチ５の脇には、電源投入状態や作動モードを示すランプ２６が配設される。これらのランプ２６は、夫々裏側の制御基板１９に接続されて点灯制御される。
【００３２】
次に、本実施例のストレッチ用マット１を用いて、ストレッチ運動を行う方法について説明する。
ストレッチ用マット１を床に置いて、図１のように、電源コード３０を外部電源３１に接続する。そして、かかる状態で、操作スイッチ５を押すと電源がＯＦＦからＯＮになる。ここで、電源ＯＦＦの状態、および電源がＯＮになった直後の初期状態は、ストレッチ部３は弱湾曲状態となっている。電源がＯＮになると、制御基板１９は、ストレッチ制御処理の作動モードを選択するための作動モード選択状態となる。作動モードは、ストレッチする部位（「首」または「背中、腰」）とストレッチ強度（「強」または「弱」）によって、下記の４種類が用意されており、操作スイッチ５が押されるたびに、選択する作動モードが順番に切り替わる。
１．首（強）      ：給気３０秒→閉塞３０秒→排気１５秒
２．背中、腰（強）：給気３５秒→閉塞２５秒→排気１５秒
３．首（弱）      ：給気２０秒→閉塞３０秒→排気１５秒
４．背中、腰（弱）：給気２５秒→閉塞２５秒→排気１５秒
【００３３】
作動モードが選択されてから操作スイッチ５の非操作状態が２０秒継続すると、制御基板１９は、作動モード選択状態を終了し、選択された作動モードでのストレッチ制御処理を開始する。したがって、本実施例にあっては、ストレッチ部３に体を載せたまま操作スイッチ５を操作しなくても、操作スイッチ５を操作した後の２０秒間を利用して、ストレッチ制御処理が開始される前に、伸長させたい部位をストレッチ部３に載せることができる。
【００３４】
例えば、「背中、腰（強）」の作動モードを選択して、背中のストレッチを行う場合は、電源をＯＮにした後で、操作スイッチ５を操作して「背中、腰（強）」の作動モードを選択する。そして、ストレッチ用マット１の上に仰向けとなって、ストレッチ部３に背中を載せるとともに、腰を保持部４ａに載せて体を保持する。
【００３５】
制御基板１９は、操作スイッチ５によって「背中、腰（強）」の作動モードが選択されてから２０秒が経過すると、エアーポンプ１７を給気状態に切り替えてストレッチ制御処理を開始する。「背中、腰（強）」の作動モードでは、制御基板１９は、エアーポンプ１７を給気状態に３５秒間制御する。この３５秒の給気状態中に、エアーバッグ６に空気が供給されてストレッチ部３は弱湾曲状態から強湾曲状態に変換される。ここで、弱湾曲状態から強湾曲状態に変わる際は、エアーバッグ６への空気の供給に合わせてストレッチ部３の湾曲が徐々にきつくなっていくため、使用者の背中の筋肉がゆっくりと伸長されていくこととなる。また、この時、使用者は体を能動的に動かす必要はないから、背中の筋肉を緩めた状態で伸長させることができる。
【００３６】
そして、３５秒の給気状態の後は、制御基板１９は、エアーポンプ１７を２５秒間閉塞状態に制御する。この２５秒間の閉塞状態では、ストレッチ部３の強湾曲状態が維持されるため、使用者の背中は、強く伸長した状態を保持されることとなる。
【００３７】
そして、２５秒の閉塞状態の後は、制御基板１９は、エアーポンプ１７を１５秒間排気状態に制御する。この排気状態により、エアーバッグ６がしぼんだ状態となり、ストレッチ部３は弱湾曲状態に復帰する。そして、これにより、使用者の背中は、強い伸長状態から開放されて、ストレッチ部３の上で弱く伸長した状態となる。
【００３８】
そして、１５間の排気状態の後は、制御基板１９は、エアーポンプ１７を閉塞状態に制御してストレッチ制御処理を終了する。そして、ストレッチ制御処理の終了とともに、制御基板１９は電源ＯＦＦ（待機状態）となる。
【００３９】
また、制御基板１９は、ストレッチ制御処理中は、振動用モータ１８を駆動させて筐体２を振動させる。筐体２の振動は、エアーバッグ６が配設されたストレッチ部３では減衰するが、腰が載せられた保持部４ａを介して、伸長状態の背中に伝わることとなるから、伸ばした背筋に、振動による刺激を加えることで、血流の改善効果、インナーマッスルの育成効果、骨格の補正効果を効率的に得られる。
【００４０】
このように、本実施例のストレッチ用マットは、ストレッチ制御処理によって、ストレッチ部３が弱湾曲状態から強湾曲状態に時間をかけて変更され、その後、所定時間強湾曲状態が維持される。そして、かかるストレッチ制御処理に伴って、使用者の体は、ストレッチ部３の上でゆっくりと伸ばされていき、その後、体が強く伸長した状態で一定時間保持されることにより、理想的なストレッチ運動が実現されることとなる。なお、上記では、「背中、腰（強）」の作動モードを例に挙げて説明したが、上記４種類のストレッチ制御処理は、給気状態と閉塞状態に制御する時間が異なるだけで、基本的な作動態様は共通している。ここで、「背中、腰（強）」の作動モードは、ストレッチ強度の弱い「背中、腰（弱）」の作動モードに比べて、給気状態に制御する時間が長く設定されている。これは、給気状態に制御する時間が長いほど、エアーバッグ６に供給する空気量が増加して、エアーバッグ６が大きく膨らむため、強湾曲状態におけるストレッチ部３の湾曲がきつくなって、使用者の体を強く伸長させられるためである。また、本実施例では、「背中、腰」の作動モードと「首」の作動モードとで、給気状態と閉塞状態に制御する時間を相違させることで、それぞれの部位に適した伸長強度や、伸長状態の保持時間でストレッチを行い得るようにしている。
【００４１】
このように、本実施例のストレッチ用マット１は、エアーバッグ６を膨らませたり、へこませたりすることによって、ストレッチ部３が、弱く湾曲する弱湾曲状態と、強く湾曲する強湾曲状態とに変換できるため、伸長させる部分を弱湾曲状態のストレッチ部３に載せて、しかる後に、エアーバッグ６に空気を供給してストレッチ部３を強湾曲状態に変換することで、使用者の体の筋肉を緩めた状態で、ゆっくりと伸長させていくことができる。したがって、本実施例のストレッチ用マット１によれば、ストレッチ運動に必要な、ゆっくり伸長させて、伸長状態で停止させるといった動作を実現できるため、高いストレッチ効果を得ることができるという利点がある。
【００４２】
また、ストレッチ制御処理では、制御基板１９は、ストレッチ部３を所定時間、強湾曲状態に維持した後に、弱湾曲状態に復帰させる。このため、使用者は、強湾曲状態で筋肉を強く伸長させた後、弱湾曲状態で筋肉の伸長をある程度緩めてから、無理のない姿勢で、伸長させた部位をストレッチ部３から下ろすことができるという利点がある。
【００４３】
また、本実施例にあっては、作動モード選択状態で、操作スイッチ５が最後に操作されてから２０秒が経過した後に、ストレッチ制御処理が開始されて、エアーバッグ６が膨らみ始めるよう構成されているため、使用者は、操作スイッチ５を操作した後に、ストレッチ部３に体を載せることができ、ストレッチ部３に体を載せた無理な姿勢で、操作スイッチ５を操作しなくてもよいという利点がある。
【００４４】
また、本実施例にあっては、ストレッチ制御処理において、エアーポンプ１７を給気状態とする時間を変えて、エアーバッグへの空気の供給量を調節することで、強湾曲状態におけるストレッチ部３の湾曲度合いを変化させることができるため、伸長させる体の部位や、使用者の体の硬さに合わせた強度でストレッチを行うことができるという利点がある。また、本実施例のストレッチ用マット１は、使用者の関節が硬い場合には、弱湾曲状態のままストレッチをさせることができる。したがって、本実施例のストレッチ用マット１は、関節が極めて硬い使用者も使用できる。
【００４５】
また、本実施例にあっては、ストレッチ制御処理中に、振動用モータ１８を作動させて、保持部４ａ，４ｂを介して筐体２の振動を使用者に伝えることで、ストレッチ効果をより向上させることができるという利点がある。
【００４６】
なお、本発明のストレッチ用マットは、上記実施例の形態に限らず本発明の要旨を逸脱しない範囲内において種々変更を加えることができる。
【００４７】
例えば、上記実施例では、エアーポンプ１７が本発明に係る給気手段と排気手段を構成しているが、給気手段と排気手段は別々の装置で実現させてもかまわない。また、上記実施例では、エアーバッグ６の空気をエアーポンプ１７の作動によって排気しているが、例えば、電磁弁の開放によりエアーバッグ６の内部を大気と連通させて、エアーバッグ６やカバーシート７の収縮力によって、エアーバッグ６の空気が自然に排気されるようにしてもよい。
【００４８】
また、上記実施例では、制御基板１９は、操作スイッチ５の操作後に一定時間が経過すると、ストレッチ制御処理を開始するよう構成されているが、例えば、圧力センサ等によってストレッチ部３に載せられた体を検知するようにして、ストレッチ部３に体が載せられたことを条件として、ストレッチ制御処理を開始するよう構成することもできる。
【００４９】
また、上記実施例では、制御基板１９は、ストレッチ制御処理のみを実行するよう構成されているが、本発明のストレッチ用マットは、ストレッチ制御処理のみを実行するものに限られない。例えば、ストレッチ制御処理以外にも、ストレッチ部３を弱湾曲状態に維持したまま、振動用モータ１８を作動させるような処理を実行させることがあげられる。
【符号の説明】
【００５０】
１  ストレッチ用マット
２  筐体
２ａ  上部カバー
２ｂ  ベース体
３  ストレッチ部
４ａ，４ｂ  保持部
５  操作スイッチ
６  エアーバッグ
７  カバーシート
８  押さえ板
９  内部空隙
１３  凹部
１４  通気口
１５  スリット
１７  エアーポンプ
１８  振動用モータ
１９  制御基板
２０  エアチューブ
２２  給排気口
２３  駆動軸
２４  偏心錘
２６  ランプ
３０  電源コード
３１  外部電源
【図１】
2015073875.tif 000003
【図２】
2015073875.tif 000004
【図３】
2015073875.tif 000005
【図４】
2015073875.tif 000006
【図５】
2015073875.tif 000007
【図６】
2015073875.tif 000008
【図７】
2015073875.tif 000009